(57)【要約】  【課題】  部品点数及び製造工程を削減し、短期間且つ低コストで製造することができる前記クランプと前記ターンテーブルとの間に発生する磁界の前記モータへの影響を低減し、前記モータを安定して、円滑に且つ精度良く回転させる。  【解決手段】  ターンテーブル２と、光ディスクＤｓをターンテーブル２と挟み込むクランプ３と、ターンテーブル２を回転させるモータ４とを有し、ターンテーブル２は磁性体である板金に絞り加工を施すことで一体に形成される、光ディスクＤｓを載せるための光ディスク配置部２１と、光ディスク配置部２１の中央から突出する突出部２２とを有している。【選択図】      図２
2007058905.tif 000002
【特許請求の範囲】
【請求項１】
光ディスクにレーザ光を照射することで、データの記録、読出を行う光ディスク装置で
あって、
前記光ディスクを接触配置しそれ自体回転することで該光ディスクを回転させるターン
テーブルと、前記ターンテーブルと前記光ディスクを挟持するクランプと、前記ターンテ
ーブルを駆動するモータとを有しており、
前記ターンテーブルは前記光ディスクが挿入されると前記光ディスクの記録面側から光
ディスクを押し前記クランプと挟持するものであり、前記光ディスクを配置する光ディス
ク配置部と、前記光ディスク配置部の中央から突出し、前記光ディスクの中央に形成され
た貫通孔を貫通する突出部と、前記突出部に外嵌配置され、前記光ディスクの前記貫通孔
と接触してずれないように保持する保持部とを有しており、前記光ディスク配置部には中
心軸回りに等中心角度間隔にボス孔が形成されており、前記保持部は樹脂で成形され、前
記光ディスク配置部と接触する部分にボスが形成されており、前記ボスを前記ボス孔に貫
通させ溶着することで固定するものであり、
前記クランプは、前記光ディスクを前記クランプは、前記光ディスクの前記ターンテー
ブルが接触する面と反対の面と接触する押え部と、円筒形状を有するクランパーマグネッ
トとを有しており、前記押え部は前記光ディスクを圧着する圧着部と、前記ターンテーブ
ルの突出部と係合する係合凹部とを有するとともに、前記クランパーマグネットは前記係
合凹部に脱落しないように強固に固定されており、
前記ターンテーブルの前記光ディスク配置部と前記突出部は磁性体である金属板の絞り
加工で一体形成されるものであり、前記ターンテーブルが前記モータの駆動軸に圧入固定
されることを特徴とする光ディスク装置。
【請求項２】
光ディスクにレーザ光を照射することで、データの記録、読出を行う光ディスク装置で
あって、
前記光ディスクを接触配置しそれ自体回転することで該光ディスクを回転させるターン
テーブルと、前記ターンテーブルと前記光ディスクを挟持するクランプと、前記ターンテ
ーブルを駆動するモータとを有しており、
前記ターンテーブルは前記光ディスクが挿入されると前記光ディスクの記録面側から光
ディスクを押し前記クランプと挟持するものであり、前記光ディスクを配置する光ディス
ク配置部と、前記光ディスク配置部の中央から突出し、前記光ディスクの中央に形成され
た貫通孔を貫通する突出部と、前記突出部に外嵌配置され、前記光ディスクの前記貫通孔
と接触してずれないように保持する保持部とを有しており、前記光ディスク配置部には中
心軸回りに等中心角度間隔にボス孔が形成されており、前記保持部は樹脂で成形され、前
記光ディスク配置部と接触する部分にボスが形成されており、前記ボスを前記ボス孔に貫
通させ溶着することで固定するものであり、
前記クランプは、前記光ディスクを前記クランプは、前記光ディスクの前記ターンテー
ブルが接触する面と反対の面と接触する押え部と、円筒形状を有するクランパーマグネッ
トとを有しており、前記押え部は前記光ディスクを圧着する圧着部と、前記ターンテーブ
ルの突出部と係合する係合凹部とを有するとともに、前記クランパーマグネットは前記係
合凹部に脱落しないように強固に固定されており、
前記ターンテーブルの前記光ディスク配置部と前記突出部は磁性体である金属製の一体
形成物であり、前記ターンテーブルが前記モータの駆動軸に圧入固定されることを特徴と
する光ディスク装置。
【請求項３】
前記ターンテーブルの前記光ディスク配置部と前記突出部は磁性体である金属板の塑性
加工にて一体的に形成するものを特徴とする請求項２に記載の光ディスク装置。
【発明の詳細な説明】
【技術分野】
【０００１】
本発明は、光ディスクにレーザ光を照射することでデータの記録及び（又は）読出しを
行う光ディスク装置であって、前記光ディスク安定して挟持することができる光ディスク
装置に関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体とする光ディスク装置は、前記光ディスクを回転させ該光
ディスクの記録面にレーザ光を照射することで、前記光ディスクに予め記録されている情
報を読み出したり、記録可能な光ディスクに情報を記録したりする。
【０００３】
図３は従来の光ディスク装置に備えられる光ディスク駆動機構の一例の側断面図である
。図３に示す光ディスク駆動機構９１はターンテーブル９２とターンテーブル９２と光デ
ィスクＤｓを回動しないように保持するクランプ９３とを備えている。ターンテーブル９
２は樹脂の一体成形で形成されており、モータ９４と連結し、モータ９４が回動すること
でターンテーブル９２も回動する。
【０００４】
図３に示すターンテーブル９２は、光ディスクＤｓを載置するための光ディスク配置部
９２１と、光ディスクＤｓの中心に形成されている係合孔を貫通する貫通部９２２と、貫
通部９２２に形成された挿入孔９２３と、クランプ９３に設けられた後述の永久磁石９３
２との間に磁界を形成するクランパーヨーク９２４とを有している。ターンテーブル９２
の中央には貫通孔９２５が形成されており、貫通孔９２５にはモータ９４の駆動軸９４１
が動かないように固定されている。
【０００５】
ターンテーブル９２の挿入孔９２３の底面には、ボス９２６が形成されており、クラン
パーヨーク９２４にはボス９２６と対応する位置にボス孔９２４１が形成されている。ボ
ス９２６がボス孔９２４１を貫通するようにクランパーヨーク９２４を挿入孔９２３に配
置し、ボス９２６の先端を加熱し溶着する。溶融した樹脂が凝固することで、クランパー
ヨーク９２４が挿入孔９２３に固定される。このように溶着することでクランパーヨーク
９２４が挿入孔９２３から抜けるのを防ぐ。
【０００６】
モータ９４の駆動軸９４１は貫通孔９２５に圧入されている。ターンテーブル９２は樹
脂で駆動軸９４１は金属で形成されているので、温度や湿度等の環境変化にともなう収縮
、膨張等の変形差によって、駆動軸９４１とターンテーブル９２の貫通孔９２５との間に
隙間が生じやすくなる。そのため、駆動軸９４１とターンテーブル９２の貫通孔９２５と
は接着剤にて接着される。このとき、圧入時に接着剤がずれたり、接着部に供給されなか
ったりする不具合が発生するのを防ぐために、駆動軸９４１に溝を形成しその部分に接着
剤を充填して圧入している。
【０００７】
クランプ９３は、図３に示すように押え部９３１と、クランパーマグネット９３２とを
有している。押え部９３１は光ディスクＤｓを挟着する挟着部９３１１と、ターンテーブ
ル９２の貫通部９２２と係合する係合凹部９３１２とを有している。クランパーマグネッ
ト９３２は円筒形状を有しており、係合凹部９３１２に脱落しないように強固に固定され
ている。
【０００８】
モータ９４及びターンテーブル９２はトラバースシャーシ９５に取り付けられている。
トラバースシャーシ９５は光ディスクが挿入されると上昇し、光ディスクＤｓをターンテ
ーブル９２で持ち上げる。その後、ターンテーブル９２とクランプ９３とで光ディスクＤ
ｓを挟着する。このとき、光ディスクＤｓはクランパーマグネット９３２とクランパーヨ
ーク９２４との間に発生する磁界による磁気力でターンテーブル９２及びクランプ９３と
に滑らないように挟着される（特開２００２−３２９３５７号公報等参照）。
【特許文献１】特開２００２−３２９３５７号公報
【発明の開示】
【発明が解決しようとする課題】
【０００９】
ターンテーブル９２の貫通孔９２５に駆動軸９４１を圧入し、接着するためには、上述
したように駆動軸９４１の貫通孔９２５と重なる部分に、圧入時に接着剤がターンテーブ
ル９２に押されて移動するのを防ぐための溝を形成しなくてはならない。また、ターンテ
ーブル９２と駆動軸９４１とは接着されているが、温度、湿度等の環境変化によって、接
着剤が融解しターンテーブル９２と駆動軸９４１との接着が甘くなることがある。
【００１０】
さらに、ターンテーブル９２の挿入孔９２３にクランパーヨーク９２４を、挿入孔９２
３に形成されたボス９２６がクランパーヨーク９２３に形成されているボス孔９２４１を
貫通するように配置し、ボス９２６を溶着して固定するので、クランパーヨーク９２４を
位置決めしつつ適切に配置したり、溶着したりと手間と、時間がかかる。
【００１１】
また、クランプ９３とターンテーブル９２とが光ディスクを挟着したときに、クランプ
９３に取り付けられているクランパーマグネット９３２とターンテーブル９２に取り付け
られているクランパーヨーク９２４との間で形成される磁界が、モータ９４に作用する。
モータ９４は永久磁石が形成する磁界内をコイルが回転するものであり、外部からの異な
る磁界が作用することで、回転動作の精度が低下する恐れがある。
【００１２】
そこで本発明は、光ディスクをクランプとターンテーブルで挟持し回転するクランプ機
構を備える光ディスク装置であって、部品点数及び製造工程を削減し、短期間且つ低コス
トで製造することができる光ディスク装置を提供することを目的とする。
【００１３】
また本発明は、光ディスクをクランプとターンテーブルで挟持し回転するクランプ機構
を備える光ディスク装置であって、特殊な部材を用いることなく、前記クランプと前記タ
ーンテーブルとの間に発生する磁界の前記モータへの影響を低減し、前記モータを安定し
て、円滑に且つ精度良く回転させることができる光ディスク装置を提供することを目的と
する。
【課題を解決するための手段】
【００１４】
上記目的を達成するために本発明は、光ディスクにレーザ光を照射することで、データ
の記録、読出を行う光ディスク装置であって、前記光ディスクを接触配置しそれ自体回転
することで該光ディスクを回転させるターンテーブルと、前記ターンテーブルと前記光デ
ィスクを挟持するクランプと、前記ターンテーブルを駆動するモータとを有しており、前
記ターンテーブルは前記光ディスクが挿入されると前記光ディスクの記録面側から光ディ
スクを押し前記クランプと挟持するものであり、前記光ディスクを配置する光ディスク配
置部と、前記光ディスク配置部の中央から突出し、前記光ディスクの中央に形成された貫
通孔を貫通する突出部と、前記突出部に外嵌配置され、前記光ディスクの前記貫通孔と接
触してずれないように保持する保持部とを有しており、前記光ディスク配置部には中心軸
回りに等中心角度間隔にボス孔が形成されており、前記保持部は樹脂で成形され、前記光
ディスク配置部と接触する部分にボスが形成されており、前記ボスを前記ボス孔に貫通さ
せ溶着することで固定するものであり、前記クランプは、前記光ディスクを前記クランプ
は、前記光ディスクの前記ターンテーブルが接触する面と反対の面と接触する押え部と、
円筒形状を有するクランパーマグネットとを有しており、前記押え部は前記光ディスクを
圧着する圧着部と、前記ターンテーブルの突出部と係合する係合凹部とを有するとともに
、前記クランパーマグネットは前記係合凹部に脱落しないように強固に固定されており、
前記ターンテーブルの前記光ディスク配置部と前記突出部は金属板の絞り加工で一体形成
されるものであり、前記ターンテーブルが前記モータの駆動軸に圧入固定されることを特
徴とする。
【００１５】
この構成によると、前記ターンテーブルの光ディスク配置部と突出部が金属板の絞り加
工にて一体に形成されているので、樹脂の一体成形に比べて部品の加工が容易である。
【００１６】
また、前記突出部を磁性体である金属板の絞り加工で形成するので、従来ターンテーブ
ルに取り付けられていたヨークを必要としないので、構成部材を減らすことができる。
【００１７】
さらに、前記ターンテーブルの光ディスク配置部が磁性体である金属板で形成されてい
るので、前記クランプと前記ターンテーブルが前記光ディスクを挟持したときに、該クラ
ンプに配置されるクランパーマグネットにて形成される磁界をシールドすることができ、
前記モータへ前記磁界が作用するのを抑制することができる。
【００１８】
また上記目的を達成するため本発明は光ディスクにレーザ光を照射することで、データ
の記録、読出を行う光ディスク装置であって、前記光ディスクを接触配置しそれ自体回転
することで該光ディスクを回転させるターンテーブルと、前記ターンテーブルと前記光デ
ィスクを挟持するクランプと、前記ターンテーブルを駆動するモータとを有しており、前
記ターンテーブルは前記光ディスクが挿入されると前記光ディスクの記録面側から光ディ
スクを押し前記クランプと挟持するものであり、前記光ディスクを配置する光ディスク配
置部と、前記光ディスク配置部の中央から突出し、前記光ディスクの中央に形成された貫
通孔を貫通する突出部と、前記突出部に外嵌配置され、前記光ディスクの前記貫通孔と接
触してずれないように保持する保持部とを有しており、前記光ディスク配置部には中心軸
回りに等中心角度間隔にボス孔が形成されており、前記保持部は樹脂で成形され、前記光
ディスク配置部と接触する部分にボスが形成されており、前記ボスを前記ボス孔に貫通さ
せ溶着することで固定するものであり、前記クランプは、前記光ディスクを前記クランプ
は、前記光ディスクの前記ターンテーブルが接触する面と反対の面と接触する押え部と、
円筒形状を有するクランパーマグネットとを有しており、前記押え部は前記光ディスクを
圧着する圧着部と、前記ターンテーブルの突出部と係合する係合凹部とを有するとともに
、前記クランパーマグネットは前記係合凹部に脱落しないように強固に固定されており、
前記ターンテーブルの前記光ディスク配置部と前記突出部は金属製の一体形成物であり、
前記ターンテーブルが前記モータの駆動軸に圧入固定されることを特徴とする。
【００１９】
この構成によると、前記ターンテーブルの光ディスク配置部と突出部が金属板にて一体
に形成されているので、樹脂の一体成形に比べて部品の加工が容易である。
【００２０】
また、前記突出部を磁性体である金属板で形成されているので、従来ターンテーブルに
取り付けられていたヨークを必要としないので、構成部材を減らすことができる。
【００２１】
さらに、前記ターンテーブルの光ディスク配置部が磁性体である金属板で形成されてい
るので、前記クランプと前記ターンテーブルが前記光ディスクを挟持したときに、該クラ
ンプに配置されるクランパーマグネットにて形成される磁界をシールドすることができ、
前記モータへ前記磁界が作用するのを抑制することができる。
【００２２】
上記構成において、前記ターンテーブルの前記光ディスク配置部と前記突出部は金属板
の塑性加工にて一体的に形成するものを挙げることができる。また、塑性加工に限定され
るものではなく、磁性体である金属で形成する加工方法を広く採用することができる。
【発明の効果】
【００２３】
本発明によると、光ディスクをクランプとターンテーブルで挟持し回転するクランプ機
構を備える光ディスク装置であって、部品点数及び製造工程を削減し、短期間且つ低コス
トで製造することができる光ディスク装置を提供することができる。
【００２４】
また本発明によると、光ディスクをクランプとターンテーブルで挟持し回転するクラン
プ機構を備える光ディスク装置であって、特殊な部材を用いることなく、前記クランプと
前記ターンテーブルとの間に発生する磁界の前記モータへの影響を低減し、前記モータを
安定して、円滑に且つ精度良く回転させることができる光ディスク装置を提供することが
できる。
【発明を実施するための最良の形態】
【００２５】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは、光ディスク（ＤＶＤ記録媒体）
Ｄｓを回転させる光ディスク駆動機構１と、光ディスクＤｓに光を照射し情報を読出す光
ヘッドＡと、光ヘッドＡで検出された信号を復号化するデコーダＤｃと、外部の表示装置
であるモニタＭｎに接続するための外部接続部Ｏｃと、制御部Ｃｏｎｔとを備えている。
【００２６】
ＤＶＤプレーヤＰＬは制御部Ｃｏｎｔによって制御されており、使用者よりＤＶＤを再
生する命令がなされると、まず、光ディスク駆動機構１を駆動し光ディスクＤｓを回転さ
せる。光ヘッドＡより回動している光ディスクＤｓにレーザ光を照射し、その反射光を光
ヘッドＡで検出する。光ヘッドＡに備えられた後述の受光素子Ｐｄは検出した光を電気信
号に変換するものであり、電気信号はデコーダＤｃに送られ映像用の信号に復調され、外
部接続部Ｏｃを介してモニタＭｎに送られ、モニタＭｎに映像を表示する。
【００２７】
図２に本発明に係る光ディスクに備えられる光ディスク駆動機構の一例の断面図を示す
。図２に示す光ディスク駆動機構１は、光ディスクＤｓを支持するターンテーブル２と、
光ディスクＤｓをターンテーブル２と挟み込むことでターンテーブル２と光ディスクＤｓ
が滑らないように挟持するクランプ３と、ターンテーブル２を回転させるモータ４とを有
している。
【００２８】
図２に示すように、ターンテーブル２は光ディスクＤｓを載せるための光ディスク配置
部２１と、光ディスク配置部２１の中央から突出し、光ディスクＤｓの中央に設けられた
光ディスクＤｓの中央に形成された貫通孔Ｄ１を貫通する突出部２２と、突出部２２に外
嵌し、光ディスクＤｓの貫通孔Ｄ１と接触し光ディスクＤｓを保持する保持部２３とを有
している。
【００２９】
ターンテーブル２の光ディスク配置部２１と突出部２２は、それには限定されないが、
ここでは、磁性体である板金に絞り加工を施すことで一体に形成されるものである。光デ
ィスク配置部２１にはボス孔２１１がターンテーブル２の中心軸を中心とする等中心角度
間隔で形成されている。保持部２３は光ディスクＤｓの貫通孔Ｄ１と接触するものであり
、貫通孔Ｄ１と接触しても貫通孔Ｄ１が削れないように、それには限定されないが、ここ
では、樹脂の一体成型部材である。
【００３０】
保持部２３は光ディスク配置部２１と接触する面にはボス２３１が形成されている。ボ
ス２３１は光ディスク配置部２１に形成されたボス孔２１１と対応する位置に形成されて
いる。保持部２３はボス２３１がボス孔２１１を貫通するように突出部２２に外嵌配置さ
れ、ボス２３１のボス孔２１１から突出する部分を加熱し溶着することで、保持部２３は
光ディスク配置部２１及び突出部２２に対して固定される。突出部２２の中央には後述す
るモータ４の回転軸４１が挿入される挿入孔２２１が形成されている。
【００３１】
モータ４はターンテーブル２と接続する回転軸４１と、回転軸４１を回動可能に支持す
る軸受４２と、軸受４２を内部に配置するハウジング４３と、ハウジング４３の外側に固
定される積層コア４４と、回転軸４１に固定される円筒形状のロータ４５とを有している
。軸受４２は金属のすべり軸受を例示しているがそれに限定されるものではなく、回転軸
４１を安定して回転できるように支持するものを広く採用することができる。また、回転
軸４１をターンテーブル２の突出部２２に形成された挿入孔２２１に圧入することで、回
転軸４１とターンテーブル２とを滑らないように固定することができる。
【００３２】
積層コア４４は円筒部４４１に半径方向に突出するコイル巻きつけ部４４２が等中心角
度間隔で９個配置されている。コイル巻きつけ部４４２は円筒部４４１と接続している側
と反対側は周方向に延びる端板４４３が形成されている。コイル巻きつけ部４４２にはコ
イル４４４が巻きつけられている。積層コア４４は金属製のコア板４４０を複数枚重ねて
張り合わせるものであり、コア板４４０とコア板４４０の間に絶縁素材が挟まれる。隣り
合うコア板４４０の間に絶縁素材を挟んで積層することで渦電流の発生を低減することが
でき、それだけ、エネルギ損失を抑制することができる。
【００３３】
ロータ４５には円筒形状の曲面部４５１と、曲面部４５１の一方の端部は閉じた平面部
４５２が形成されている。平面部４５２の中央には貫通孔４５３が形成されており、貫通
孔４５３は回転軸４１が貫通するとともに、回転軸４１と固定されている。曲面部４５１
の内側には、永久磁石４５４が等中心角度間隔で取り付けられている。
【００３４】
積層コア４４のコイル巻きつけ部４４２に巻きつけられたコイル４４４に所定のタイミ
ングで順番に電流を流すことで、回転磁界が発生する。永久磁石４５４が回転磁界にあわ
せて回転することで、ロータ４５が回転する。ロータ４５の回転が回転軸４１を介してタ
ーンテーブル２を回転させることで、光ディスクＤｓを回転させる。
【００３５】
クランプ３は、図２に示すように押え部３１と、クランパーマグネット３２とを有して
いる。押え部３１は光ディスクＤｓを圧着する圧着部３１１と、ターンテーブル２の貫通
部２２と係合する係合凹部３１２とを有している。クランパーマグネット３２は円筒形状
を有しており、係合凹部３１２に脱落しないように強固に固定されている。
【００３６】
クランプ３は図示を省略した支持部材にて回転自在に支持されている。クランプ３とタ
ーンテーブル２はクランパーマグネット３２と板金で形成されたターンテーブル２の突出
部２２との間に発生する磁界による磁気力にて光ディスクＤｓを挟持し、ターンテーブル
２が回転するとき及び停止するときに光ディスクＤｓがターンテーブル２の光ディスク配
置部２１からずれたり、滑ったりするのを防ぐことができる。
【００３７】
光ディスク装置のクランプによる挟持するときの手順以下のとおりである。ターンテー
ブル２は図示を省略したトラバースシャーシに取り付けられており、トラバースシャーシ
は光ディスクの挿入／排出に合わせて、クランプ３に対して接近／後退するものである。
【００３８】
光ディスクＤｓが光ディスク装置に挿入されると、所定のタイミングで前記トラバース
シャーシがクランプ３に向かって回動する。光ディスクＤｓがデータ読出／記録位置に来
たときに、光ディスクＤｓの中央に形成された貫通孔Ｄ１をターンテーブル２の突出部２
２及び保持部２３が貫通するとともに、光ディスク配置部２１が光ディスクＤｓを持ち上
げる。
【００３９】
トラバースシャーシがさらに回動すると、磁性体である板金で形成されている突出部２
２とクランプ３のクランパーマグネット３２との間に磁界が発生し、その磁界による磁気
力によって突出部２２はクランパーマグネット３２に吸着する。突出部２２がクランパー
マグネット３２に吸着されることで、光ディスクＤｓはターンテーブル２の光ディスク配
置部２１とクランプ３の圧着部３１１とによって滑らないように挟持される。
【００４０】
ターンテーブル２は光ディスク配置部２１と突出部２２とが金属板で一体に形成されて
いるので、クランパーマグネット３２にて形成される磁界が、モータ４に影響しないよう
にシールドすることができる。これにより、モータ４の動作がクランパーマグネット３２
からの磁界により乱されることがないので、モータ４を円滑、正確に駆動することができ
る。
【００４１】
本発明にかかる光ディスク装置として、ディスクトレイを用いて挿入／排出するもので
あってもよく、光ディスクをそのまま挿入するスロットインタイプであってもよい。
【００４２】
ターンテーブル２の光ディスク配置部２１と突出部２２として、磁性体である金属板を
絞り加工にて形成するもの挙げているが、加工方法は絞り加工に限定されるものではなく
、加工後、形状を維持することができる塑性加工方法を広く採用することができる。また
、金属製の光ディスク配置部２１と突出部２２とを組み合わせるものであってもよい。さ
らには、粉体の圧縮成形や鋳造、鍛造等、強磁性を有しターンテーブル２の形状を形成す
ることができるものを広く採用することができる。
【産業上の利用可能性】
【００４３】
本発明の光ディスク装置は、ＤＶＤ、ＣＤ、ＬＤ等の光ディスクにレーザ光を照射して
情報を読み出したり、書込み可能な光ディスクに情報を記録したりする光ディスク装置と
して適用することができる。
【図面の簡単な説明】
【００４４】
【図１】本発明にかかる光ディスク装置の配置図である。
【図２】本発明に係る光ディスクに備えられる光ディスク駆動機構の一例の断面図である。
【図３】従来の光ディスク装置に備えられる光ディスク駆動機構の断面図である。
【符号の説明】
【００４５】
Ｄｓ  光ディスク
ＰＬ  ＤＶＤプレーヤ
Ａ  光ヘッド
Ｄｃ  デコーダ
Ｍｎ  モニタ
Ｏｃ  外部接続部
１  光ディスク駆動機構
２  ターンテーブル
２１  光ディスク配置部
２２  突出部
２３  保持部
３  クランプ
３１  押え部
３２  クランパーマグネット
４  モータ
４１  回転軸
４２  軸受
４３  ハウジング
４４  積層コア
４５  ロータ
【図１】
2007058905.tif 000003
【図２】
2007058905.tif 000004
【図３】
2007058905.tif 000005